Podtech/llm-jp-corpus-v4-ja_patent huggingface dataset:
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
芳香剤もしくは活性物質を揮発させる空気処理装置であって、
使用時に、粒子状ワックスまたはパラフィンと接する水を収容する容器であって、前記粒子状ワックスまたはパラフィンは、内部に分散される前記芳香剤もしくは他の活性物質を有する容器と、
前記粒子状ワックスまたはパラフィンに接する水を加熱し、前記芳香剤もしくは他の活性物質を雰囲気中に放出するように配置された、制御された電気的もしくは化学的な加熱手段と、
を有する空気処理装置。
【請求項２】
前記制御された加熱手段は、前記粒子状ワックスまたはパラフィンの加熱を自己制限する手段を有する電気的加熱素子であることを特徴とする請求項1に記載の空気処理装置。
【請求項３】
前記制御された加熱手段は、発熱反応成分を有することを特徴とする請求項1に記載の空気処理装置。
【請求項４】
前記容器は、密閉式であり、さらに、前記反応成分に水を接触させる手段を有することを特徴とする請求項3に記載の空気処理装置。
【請求項５】
さらに、破損しやすい箇所を有し、該箇所から前記反応成分に水が放出されることを特徴とする請求項4に記載の空気処理装置。
【請求項６】
前記発熱反応成分は、水との接触によって活性化されることを特徴とする請求項3に記載の空気処理装置。
【請求項７】
前記発熱反応成分は、酸化カルシウムを含むことを特徴とする請求項3に記載の空気処理装置。
【請求項８】
前記制御された電気的または化学的な加熱手段は、使用時に、前記芳香剤もしくは他の活性物質を揮発させる蒸気を発生するように配置されることを特徴とする前記請求項のいずれか一つに記載の空気処理装置。
【請求項９】
前記制御された電気的または化学的な加熱手段は、前記粒子状ワックスもしくはパラフィンを溶解するように配置されることを特徴とする請求項1乃至７のいずれか一つに記載の空気処理装置。
【請求項１０】
前記粒子状ワックスまたはパラフィンは顆粒状で、顆粒は、充填された該顆粒の隙間から、芳香剤もしくは他の活性物質が放出され得るように、疎に充填されることを特徴とする請求項1乃至７のいずれか一つに記載の空気処理装置。
【請求項１１】
前記顆粒の平均径は、2乃至8mmの範囲であることを特徴とする請求項10に記載の空気処理装置。
【請求項１２】
前記芳香剤および／または他の活性物質は、揮発性の異なる2もしくは3以上の成分を含み、該揮発性の異なる2もしくは3以上の成分は、使用時に粒子状ワックスもしくはパラフィンが加熱された際に、異なる段階で優先的に放出されることを特徴とする請求項1乃至７のいずれか一つに記載の空気処理装置。
【請求項１３】
前記ワックスまたはパラフィンは、融点の異なる2もしくは3以上の成分を含み、前記ワックスまたはパラフィンは、使用時に、加熱により徐々に溶解するように配置されることを特徴とする請求項1乃至７のいずれか一つに記載の空気処理装置。
【請求項１４】
前記粒子状ワックスまたはパラフィンは、長鎖の脂肪アルコール、あるいは長鎖の脂肪アルコールと脂肪酸の混合物を含み、さらに任意で脂肪アルコールエトキシレートおよび／もしくはポリエチレングリコールを含むことを特徴とする請求項1乃至７のいずれか一つに記載の空気処理装置。
【請求項１５】
水により活性化される熱発生化学物質が、分散される前記芳香剤もしくは他の活性物質を有する前記ワックスまたはパラフィンの顆粒と混合されることを特徴とする請求項3乃至7のいずれか一つに記載の空気処理装置。
【請求項１６】
前記発熱反応成分は、交換式ユニット内に収容されることを特徴とする請求項3乃至7のいずれか一つに記載の空気処理装置。
【請求項１７】
水は、焼結フィルタを介して、前記発熱反応成分と接触するように供給されることを特徴とする請求項3乃至7のいずれか一つに記載の空気処理装置。
【請求項１８】
前記発熱反応成分を水中から引き上げ、または前記発熱反応成分を水中に沈める手段が設けられることを特徴とする請求項3乃至7のいずれか一つに記載の空気処理装置。
【請求項１９】
加熱空気処理装置用の詰め替えパックであって、
当該詰め替えパックは、水および該水を加熱するように配置された発熱反応を生じさせる混合物と、
前記水と接する粒子状ワックスまたはパラフィンと、
を有し、
当該詰め替えパックは、芳香剤もしくは他の活性空気処理物質を内部に吸着させる粒子状ワックスまたはパラフィンを収容する容器を有し、
該容器は、前記芳香剤もしくは他の活性物質を大気中に放出するための穴の開いたまたは透過性の壁を備え、前記容器は、耐熱性であり、前記発熱反応を生じさせる混合物によって、前記芳香剤もしくは他の活性物質が大気中に放出されるのに必要な温度まで、加熱することができることを特徴とする詰め替えパック。
【請求項２０】
前記容器は、金属製であることを特徴とする請求項19に記載の詰め替えパック。
【請求項２１】
前記容器は、前記穴の開いたまたは透過性の壁を覆う着脱式シール材を備えることを特徴とする請求項19または20に記載の詰め替えパック。
【請求項２２】
前記発熱反応を生じさせる混合物は、前記粒子状ワックスまたはパラフィンと接していることを特徴とする請求項19または20に記載の詰め替えパック。
【請求項２３】
当該詰め替えパックは水を含み、該水は、使用時に、前記芳香剤および／または他の活性物質を揮発させる蒸気を発生させることを特徴とする請求項19または20に記載の詰め替えパック。
【請求項２４】
前記発熱反応を生じさせる混合物は、水と接することによって活性化されることを特徴とする、請求項19または20に記載の詰め替えパック。
【請求項２５】
壊れやすいバリア部を有し、該バリア部が壊れて、前記水が発熱反応を生じさせる混合物と接触することを特徴とする請求項23に記載の詰め替えパック。
【請求項２６】
芳香剤もしくは他の活性物質を含む前記粒子状ワックスまたはパラフィンは、顆粒状であり、顆粒は、充填された顆粒の隙間から、芳香剤もしくは他の活性物質が放出され得るように、疎に充填されることを特徴とする請求項19に記載の詰め替えパック。
【請求項２７】
前記顆粒の平均径は、2乃至8mmの範囲であることを特徴とする請求項26に記載の詰め替えパック。
【請求項２８】
前記芳香剤および／または他の活性物質は、揮発性もしくは融点の異なる2もしくは3以上の成分を含むことを特徴とする請求項26に記載の詰め替え品。
【請求項２９】
前記発熱反応を生じさせる混合物は、水と接することによって活性化されることを特徴とする、請求項26または27に従属した請求項28に記載の詰め替え品。
【請求項３０】
壊れやすいバリア部を有し、該バリア部が壊れて、水が発熱反応を生じさせる混合物と接触できるようになることを特徴とする請求項28または29に記載の詰め替え品。
【請求項３１】
芳香剤もしくは他の活性物質を含む前記粒子状ワックスまたはパラフィンは、請求項20、21または22のいずれか一つに記載のように定められることを特徴とする請求項23乃至30のいずれか一つに記載の詰め替え品。
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
洗浄槽に供給される濃度０．１〜５０重量％の界面活性剤を含む洗浄液に、１分間あたり洗浄槽内容積の０．０１〜３％の量の空気を混入し、前記洗浄槽に貯留された前記洗浄液の液面に、直径０．０１〜２ｍｍの泡で洗浄液の液面から１〜５０ｍｍの厚さの泡の層を発生する工程と、
プラスチックレンズを前記泡の層を通過させて前記洗浄液中に浸漬する工程と、
前記洗浄液中に超音波を照射して前記プラスチックレンズを洗浄する工程とを
有することを特徴とするプラスチックレンズの洗浄方法。
【請求項２】
界面活性剤を含む洗浄液を貯留する洗浄槽と、
前記洗浄槽の下面部に配置され前記洗浄液に超音波を照射する超音波発信器と、
前記洗浄槽の周囲に設けられた前記洗浄槽から溢れた前記洗浄液を収容する回収槽と、
前記回収槽と前記洗浄槽とを循環する循環流路を有し、
前記循環流路上に前記洗浄液に空気を混入する空気混入手段を備え、
前記洗浄槽の周縁部に、多数の切り欠きが形成されていることを特徴とするプラスチックレンズの洗浄装置。
【請求項３】
請求項２記載のプラスチックレンズの洗浄装置において、
前記空気混入手段は、前記洗浄槽に前記洗浄液を供給する洗浄液供給手段であり、
前記洗浄液供給手段の吸液側に、前記洗浄液の流量を調節する開閉弁体を備えたことを特徴とするプラスチックレンズの洗浄装置。
【請求項４】
請求項２または３記載のプラスチックレンズの洗浄装置において、
前記洗浄槽内に堰板を備え、前記堰板は前記洗浄槽の内周に倣った形状であり、前記堰板で仕切られた内側に貯留される前記洗浄液の液面が、前記洗浄槽に貯留される前記洗浄液の液面よりも所定寸法高いことを特徴とする洗浄装置。
【手続補正２】
【補正対象書類名】明細書
【補正対象項目名】発明の名称
【補正方法】変更
【補正の内容】
【発明の名称】プラスチックレンズの洗浄方法および洗浄装置
【手続補正書】
【提出日】平成19年3月6日(2007.3.6)
【手続補正１】
【補正対象書類名】明細書
【補正対象項目名】００４７
【補正方法】変更
【補正の内容】
【００４７】
さらに、ＣＰＵ１２は、第１のスイッチＳＷ１をオンさせる第１のスイッチ制御信号Ｂ１を第１のスイッチＳＷ１に出力する。第１のスイッチＳＷ１がオンすると、共通電極配線Ｇ１が接地されて、図４に示す奇数番目（第１、第３、第５及び第７）のグループの超音波トランスデューサＴ１〜Ｔ４５、Ｔ９１〜Ｔ１３５、Ｔ１８１〜Ｔ２２５、Ｔ２７１〜Ｔ３１５の共通電極が接地される。
【手続補正２】
【補正対象書類名】明細書
【補正対象項目名】００４８
【補正方法】変更
【補正の内容】
【００４８】
送信回路１４は、信号配線ＥＬ１〜ＥＬ１８０を介して奇数番目（第１、第３、第５及び第７）のグループの超音波トランスデューサＴ１〜Ｔ４５、Ｔ９１〜Ｔ１３５、Ｔ１８１〜Ｔ２２５、Ｔ２７１〜Ｔ３１５の個別電極にそれぞれ供給される複数の駆動信号（本実施形態においては、パルス信号とする）を生成する。このとき、送信回路１４は、１本の超音波ビームを形成するために３個の超音波トランスデューサを用いて、互いに９０°離れた場所から４本の超音波ビームが同じタイミングで送信されるように、それらの駆動信号を生成する。
【手続補正３】
【補正対象書類名】明細書
【補正対象項目名】００５１
【補正方法】変更
【補正の内容】
【００５１】
奇数番目（第１、第３、第５及び第７）のグループの超音波トランスデューサＴ１〜Ｔ４５、Ｔ９１〜Ｔ１３５、Ｔ１８１〜Ｔ２２５、Ｔ２７１〜Ｔ３１５による走査が終了すると、ＣＰＵ１２は、第１のスイッチＳＷ１をオフさせる第１のスイッチ制御信号Ｂ１を第１のスイッチＳＷ１に出力すると共に、第２のスイッチＳＷ２をオンさせる第２のスイッチ制御信号Ｂ２を第２のスイッチＳＷ２に出力する。これにより、共通電極配線Ｇ２が接地されるため、偶数番目（第２、第４、第６及び第８）のグループの超音波トランスデューサＴ４６〜Ｔ９０、Ｔ１３６〜Ｔ１８０、Ｔ２２６〜Ｔ２７０、Ｔ３１６〜Ｔ３６０の共通電極が接地される。
【手続補正４】
【補正対象書類名】明細書
【補正対象項目名】００５２
【補正方法】変更
【補正の内容】
【００５２】
送信回路１４は、奇数番目のグループの超音波トランスデューサの場合と同様に、信号配線ＥＬ１〜ＥＬ１８０を介して偶数番目（第２、第４、第６及び第８）のグループの超音波トランスデューサＴ４６〜Ｔ９０、Ｔ１３６〜Ｔ１８０、Ｔ２２６〜Ｔ２７０、Ｔ３１６〜Ｔ３６０の個別電極にそれぞれ供給される複数の駆動パルス信号を生成する。
【手続補正５】
【補正対象書類名】明細書
【補正対象項目名】００５４
【補正方法】変更
【補正の内容】
【００５４】
以上の動作により、奇数番目及び偶数番目のグループの超音波トランスデューサが交互に用いられて各分割領域をコンベックス走査することにより、トータルで視野角３６０°の走査角度範囲のラジアル走査が行われる。なお、走査角度範囲は、３６０°に限られず、１８０°又はその他の値としても良い。画像メモリ１９から読み出された画像データは、Ｄ／Ａ変換器２０でアナログの画像信号に変換されて表示装置４に出力される。これにより、Ｂモードの超音波断層像が表示装置４に表示される。
【手続補正６】
【補正対象書類名】明細書
【補正対象項目名】００５６
【補正方法】変更
【補正の内容】
【００５６】
なお、サブ領域ＳＡ１〜ＳＡ８の境界付近（即ち、第１及び第２のスイッチＳＷ１及びＳＷ２による超音波トランスデューサのグループの切替前後）においては、超音波ビームを送信するために隣のサブ領域の超音波トランスデューサを用いることができないので、超音波ビームのムラが生じてしまう。
【手続補正７】
【補正対象書類名】明細書
【補正対象項目名】００６４
【補正方法】変更
【補正の内容】
【００６４】
このように、走査角度範囲に含まれる各分割領域がコンベックス走査されることにより、走査角度範囲の全てに対してラジアル走査がなされる。さらに、第１の実施形態と同様に、サブ領域ＳＡ１〜ＳＡ８の境界付近においては、超音波ビームをステアリングさせるセクタ走査が行われる。また、画像メモリ１９に格納された画像データが読み出され、Ｄ／Ａ変換器２０でアナログの画像信号に変換されて表示装置４に出力される。これにより、フレームレート優先のドップラー画像が表示装置４に表示される。
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
遊技領域を有する本体枠と、その本体枠の前面側に設けられ且つ前記遊技領域を臨む窓部に透明板を装着してなる窓枠とを備えた遊技機であって、
前記窓枠の前面の少なくとも一部を覆うと共に前記本体枠に対して上下に開閉自在に取り付けられた装飾枠を備えたことを特徴とする遊技機。
【請求項２】
前記装飾枠が前記本体枠に対して上方へ開放されるように構成されたことを特徴とする請求項１に記載の遊技機。
【請求項３】
前記装飾枠は、その上端がヒンジを介して前記本体枠上部に取り付けられ、前記本体枠に対して水平軸心回りに開閉自在に枢着されたことを特徴とする請求項２に記載の遊技機。
【請求項４】
前記装飾枠が前記本体枠に対して下方へ開放されるように構成されたことを特徴とする請求項１に記載の遊技機。
【請求項５】
前記装飾枠は、その下端がヒンジを介して前記本体枠下部に取り付けられ、前記本体枠に対して水平軸心回りに開閉自在に枢着されたことを特徴とする請求項４に記載の遊技機。
【請求項６】
前記装飾枠を開放位置に保持する開放位置保持手段を備えたことを特徴とする請求項１乃至５のいずれかに記載の遊技機。
【請求項７】
前記装飾枠は、前記窓枠における前記窓部より上方部分を覆う上辺部と、前記窓部より下方部分を覆う下辺部とを備え、前記上辺部と前記下辺部とが左右両側で上下に連結されたことを特徴とする請求項１乃至６のいずれかに記載の遊技機。
【請求項８】
前記装飾枠は、前記窓枠における前記窓部より上方部分を覆う上辺部と、前記窓部より下方部分を覆う下辺部とを備え、前記上辺部が前記本体枠に対して上方へ開放され且つ前記下辺部が前記本体枠に対して下方へ開放されるように構成されたことを特徴とする請求項１乃至６のいずれかに記載の遊技機。
【手続補正書】
【提出日】平成19年3月12日(2007.3.12)
【手続補正１】
【補正対象書類名】明細書
【補正対象項目名】００２６
【補正方法】変更
【補正の内容】
【００２６】
上記小容器１５は内層がポリエチレン、中間層がポリ環状オレフィン、外層がポリエチレンより成る３層構造とされたフィルムで、各層が剥離しやすい構造とされたフィルム１５ａ、１５ｂが好適に使用され、重ね合わせた二枚のフィルム１５ａ、１５ｂの周囲を熱接着することにより袋状の容器とされる。なお、この小容器１５の弱シール部２１を剥離するために必要な圧力の調整は、容器本体５の仕切り部１３と周縁３とのシールと同様、弱シール部２１の加熱接着時間を小容器１５の他の周縁部の加熱接着時間より短くする。或いは、弱シール部２１の接着圧力を、小容器１５の周縁部の接着圧力より低い接着圧力で行うことにより調整される。
【手続補正２】
【補正対象書類名】明細書
【補正対象項目名】００３６
【補正方法】変更
【補正の内容】
【００３６】
上記各実施の形態の構成例では、小容器１５が弱シール部２１部分の易剥離性の作用のみで開封される場合について示したが、小容器１５を構成する多層フィルムとして、例えば、内層がポリエチレン、中間層がポリ環状オレフィン、外層がポリエチレンより成るフィルムで各層が剥離しやすい構造とされたフィルム１５ａ、１５ｂとし、かつフィルム１５ａ、１５ｂの剥離力を弱シール部２１の接着力と同等以下としておけば、小容器１５を開封させるとき、図８に示すように、接着部２１部分で剥離するだけではなくフィルム１５ａ、１５ｂ自体の層間剥離を伴って小容器１５が開封されるので更に開封が確実に行えるのである。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
筒状で、かつ網目がカプセル型医療装置を回収可能な大きさに形成された筒状ネット体と、
前記筒状ネット体の一端から長手方向に対向して設けられる所定長のスリットと、
前記筒状ネット体の他端に締結され、該筒状ネット体を袋形状に形成する締結部材と、
を備えることを特徴とするカプセル型医療装置回収装置。
【請求項２】
前記カプセル型医療装置回収装置は、
前記筒状ネット体の一端に対向して設けられる取っ手部材を、
さらに備えることを特徴とする請求項１に記載のカプセル型医療装置回収装置。
【請求項３】
前記筒状ネット体は、
前記スリットで前記筒状ネット体を開口可能に形成させる一対の耳部材を備え、
前記各耳部材を便器と便座間で挟持して、前記筒状ネット体を保持可能な構成とすることを特徴とする請求項１または２に記載のカプセル型医療装置回収装置。
【請求項４】
前記筒状ネット体は、平面部と折り返し部を有する平たい筒状に形成され、
前記スリットは、平面部の一端の略中央付近から長手方向に切り欠くように形成されることを特徴とする請求項１〜３のいずれか一つに記載のカプセル型医療装置回収装置。
【請求項５】
前記取っ手部材は、前記各耳部材の端部に設けられることを特徴とする請求項３に記載のカプセル型医療装置回収装置。
【請求項６】
筒状で、かつ網目がカプセル型医療装置を回収可能な大きさに形成された筒状ネット体と、前記筒状ネット体の一端から長手方向に対向して設けられる所定長のスリットと、前記筒状ネット体の他端に締結され、該筒状ネット体を袋形状に形成する締結部材と、を有するカプセル型医療装置回収装置と、
前記カプセル型医療装置回収装置を収容する回収用袋と、
を備えることを特徴とするカプセル型医療装置回収キット。
【請求項７】
前記カプセル型医療装置回収キットは、
前記カプセル型医療装置回収装置によって回収された前記カプセル型医療装置を収容する収容袋を、
さらに備えることを特徴とする請求項６に記載のカプセル型医療装置回収キット。
【請求項８】
前記カプセル型医療装置回収装置は、
前記筒状ネット体の一端に対向して設けられる取っ手部材を、
さらに備えることを特徴とする請求項６または７に記載のカプセル型医療装置回収キット。
【請求項９】
前記筒状ネット体は、
前記スリットで前記筒状ネット体を開口可能に形成させる一対の耳部材を備え、
前記各耳部材を便器と便座間で挟持して、前記筒状ネット体を保持可能な構成とすることを特徴とする請求項６〜８のいずれか一つに記載のカプセル型医療装置回収キット。
【請求項１０】
前記筒状ネット体は、平面部と折り返し部を有する平たい筒状に形成され、
前記スリットは、平面部の一端の略中央付近から長手方向に切り欠くように形成されることを特徴とする請求項６〜９のいずれか一つに記載のカプセル型医療装置回収キット。
【請求項１１】
前記取っ手部材は、前記各耳部材の端部に設けられることを特徴とする請求項９に記載のカプセル型医療装置回収キット。
【請求項１２】
前記回収用袋は、前記カプセル型医療装置回収装置を挿入可能に形成される円筒形状のスリーブ部材、前記カプセル型医療装置の回収作業用の手袋、およびマスクのうちの少なくとも一つをさらに収容することを特徴とする請求項６〜１１のいずれか一つに記載のカプセル型医療装置回収キット。
【請求項１３】
便器に設置され、排泄物とともに体内から排出されたカプセル型医療装置を回収するカプセル型医療装置回収装置であって、
前記カプセル型医療装置を回収可能であり且つ前記体内からの排泄物を除去可能な大きさの網目を有し、前記体内から排出された排泄物を除去するとともに該排泄物から前記カプセル型医療装置を分離して、前記カプセル型医療装置を回収するネット状部を備えることを特徴とするカプセル型医療装置回収装置。
【請求項１４】
排泄物とともに体内から排出されたカプセル型医療装置を回収するカプセル型医療装置回収装置であって、
前記カプセル型医療装置を回収可能であり且つ前記体内からの排泄物を除去可能な大きさの網目を有し、前記体内から排出された排泄物を除去するとともに該排泄物から前記カプセル型医療装置を分離して、前記カプセル型医療装置を回収するネット状部と、
便器と便座とに挟まれて固定され、前記便器の内部に前記ネット状部を広げて配置する耳部材と、
を備えることを特徴とするカプセル型医療装置回収装置。
【請求項１５】
前記耳部材の端部に設けられ、前記便器の内部から前記耳部材とともに前記ネット状部を取り出し可能な取っ手部材をさらに備えることを特徴とする請求項１４に記載のカプセル型医療装置回収装置。
【請求項１６】
排泄物とともに体内から排泄されたカプセル型医療装置の回収作業によって発生した汚れ物を収容する回収用袋であって、
内部に収容した前記汚れ物を外部から目視できないように不透明に形成されることを特徴とする回収用袋。
【請求項１７】
当該回収用袋は、アルミ蒸着によって不透明に形成されることを特徴とする請求項１６に記載の回収用袋。
【請求項１８】
前記汚れ物を収容する当該回収用袋の開口部を閉塞するチャック部を備えることを特徴とする請求項１６または１７に記載の回収用袋。
【請求項１９】
カプセル型医療装置を回収可能であり且つ排泄物を除去可能な大きさの網目を有し、体内から排出された前記カプセル型医療装置を排泄物から分離して回収するカプセル型医療装置回収装置と、
前記カプセル型医療装置回収装置によって回収された前記カプセル型医療装置を収容する収容袋と、
少なくとも前記カプセル型医療装置の回収方法の説明書を収容するキット袋と、
を備えることを特徴とするカプセル型医療装置回収キット。
【請求項２０】
前記カプセル型医療装置の回収作業に用いた前記カプセル型医療装置回収装置を含む汚れ物を収容する回収用袋をさらに備え、
前記回収用袋は、内部に収容した前記汚れ物を外部から目視できないように不透明に形成されることを特徴とする請求項１９に記載のカプセル型医療装置回収キット。
【請求項２１】
前記回収用袋は、アルミ蒸着によって不透明に形成されることを特徴とする請求項２０に記載のカプセル型医療装置回収キット。
【請求項２２】
前記回収用袋は、前記汚れ物を収容する開口部を閉塞するチャック部を備えることを特徴とする請求項２０または２１に記載のカプセル型医療装置回収キット。
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
シート状の第１防漏体と、
前記第１防漏体の上部の後部に存在するシート状の第２防漏体と、
前記第１防漏体の上部の前部から前記第２防漏体の下側に至るまで、少なくとも１層配置された、高吸水性樹脂を含有し体液を吸収しうる吸収体と
を具備する吸収体物品であって、
前記第２防漏体の前端部の下面の一部に、尿導入部形成材が結合している、吸収体物品。
【請求項２】
前記第２防漏体の前端部またはその周辺に、尿便ストップ部材を有する、請求項１に記載の吸収体物品。
【請求項３】
前記第１防漏体の前部において、前記吸収体が、左右に分かれて配置されている、請求項１または２に記載の吸収体物品。
【請求項４】
前記第１防漏体の後部において、前記吸収体が、左右に分かれて配置されている、請求項１〜３のいずれかに記載の吸収体物品。
【請求項５】
前記第１防漏体が周囲の一部または全部において上側に立ち上がっている、請求項１〜４のいずれかに記載の吸収体物品。
【請求項６】
前記第１防漏体の左右の側壁が中側に折り返されている、請求項５に記載の吸収体物品。
【請求項７】
前記第１防漏体の左右の側壁がひだ状に形成されている、請求項５または６に記載の吸収体物品。
【請求項８】
ひだ状に形成されている前記第１防漏体の前記左右の側壁により規定される２段以上の空間のうち、少なくとも二つに、前記吸収体が配置されている、請求項７に記載の吸収体物品。
【請求項９】
前記第２防漏体が周囲の一部または全部において上側に立ち上がっている、請求項１〜８のいずれかに記載の吸収体物品。
【手続補正２】
【補正対象書類名】明細書
【補正対象項目名】０００７
【補正方法】変更
【補正の内容】
【０００７】
即ち、本発明は、以下の（１）〜（９）を提供する。
【手続補正３】
【補正対象書類名】明細書
【補正対象項目名】０００８
【補正方法】変更
【補正の内容】
【０００８】
（１）シート状の第１防漏体と、
前記第１防漏体の上部の後部に存在するシート状の第２防漏体と、
前記第１防漏体の上部の前部から前記第２防漏体の下側に至るまで、少なくとも１層配置された、高吸水性樹脂を含有し体液を吸収しうる吸収体と
を具備する吸収体物品であって、
前記第２防漏体の前端部の下面の一部に、尿導入部形成材が結合している、吸収体物品。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
（２）前記第２防漏体の前端部またはその周辺に、尿便ストップ部材を有する、上記（１）に記載の吸収体物品。
【手続補正６】
【補正対象書類名】明細書
【補正対象項目名】００１１
【補正方法】変更
【補正の内容】
【００１１】
（３）前記第１防漏体の前部において、前記吸収体が、左右に分かれて配置されている、上記（１）または（２）に記載の吸収体物品。
【手続補正７】
【補正対象書類名】明細書
【補正対象項目名】００１２
【補正方法】変更
【補正の内容】
【００１２】
（４）前記第１防漏体の後部において、前記吸収体が、左右に分かれて配置されている、上記（１）〜（３）のいずれかに記載の吸収体物品。
【手続補正８】
【補正対象書類名】明細書
【補正対象項目名】００１３
【補正方法】変更
【補正の内容】
【００１３】
（５）前記第１防漏体が周囲の一部または全部において上側に立ち上がっている、上記（１）〜（４）のいずれかに記載の吸収体物品。
【手続補正９】
【補正対象書類名】明細書
【補正対象項目名】００１４
【補正方法】変更
【補正の内容】
【００１４】
（６）前記第１防漏体の左右の側壁が中側に折り返されている、上記（５）に記載の吸収体物品。
【手続補正１０】
【補正対象書類名】明細書
【補正対象項目名】００１５
【補正方法】変更
【補正の内容】
【００１５】
（７）前記第１防漏体の左右の側壁がひだ状に形成されている、上記（５）または（６）に記載の吸収体物品。
【手続補正１１】
【補正対象書類名】明細書
【補正対象項目名】００１６
【補正方法】変更
【補正の内容】
【００１６】
（８）ひだ状に形成されている前記第１防漏体の前記左右の側壁により規定される２段以上の空間のうち、少なくとも二つに、前記吸収体が配置されている、上記（７）に記載の吸収体物品。
【手続補正１２】
【補正対象書類名】明細書
【補正対象項目名】００１７
【補正方法】変更
【補正の内容】
【００１７】
（９）前記第２防漏体が周囲の一部または全部において上側に立ち上がっている、上記（１）〜（８）のいずれかに記載の吸収体物品。
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
うつ伏せでも快適寝用枕であって
胸部上方部、両肩前面部、胸部両側部を同一面に支持するための三日月形の支持面と、額を支持するための額支持面とを有し、前記三日月形之支持面と前記額支持面とが顔面の大きさに合わせた間隔で配置されることによって前記三日月形之支持面と前記額支持面との間に前記顔面を圧迫しないだけの深さを有する切通しになった凹状の顔面周囲空間部が形成されていることを特徴とするうつ伏せでも快適寝用枕。
【請求項２】
請求項1に記載のうつ伏せでも快適寝用枕にあって
三日月形の内側の湾曲から三日月形の外側の湾曲に向かって昇り傾斜が設けられた前期三日月形の支持面を有していることを特徴とするうつ伏せでも快適寝用枕。
【請求項３】
請求項1に記載のうつ伏せでも快適寝用枕にあって
前記額支持面が前記三日月形の支持面の最高位より低くなっていることを特徴とするうつ伏せでも快適寝用枕。
【請求項４】
請求項1に記載のうつ伏せでも快適寝用枕にあって
前記三日月形の支持面の湾曲の中央部に使用者が頭部を支持し仰向けに寝ると前記三日月形の支持面の湾曲の両端部によって、使用者の両肩後面部を支持することが出来る事を特徴とするうつ伏せでも快適寝用枕。
【請求項５】
請求項1に記載のうつ伏せでも快適寝用枕にあって
前記三日月形の支持面の傾斜の最高位は、使用者が三日月形の支持面の湾曲の中央部に頭部を支持し、仰向けに寝た状態から横向きに寝た状態に移行し肩幅分高くなった頭部を支持するだけの高さを有していることを特徴とするうつ伏せでも快適寝用枕。
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
観察対象を映す観察光学系と、
観察対象に光を照射する照明手段と、
この照明手段を点灯させる点灯回路と、
前記照明手段の点灯と消灯を操作する操作インターフェイスと、
を備えた内視鏡装置において、
前記操作インターフェイスによる前記照明手段の点灯を無効にする点灯無効手段を設けたことを特徴とする内視鏡装置。
【請求項２】
前記操作インターフェイスは照明スイッチであることを特徴とする請求項１に記載の内視鏡装置。
【請求項３】
前記点灯無効手段は、
前記点灯回路を開閉可能な開閉スイッチと、
その開閉スイッチを強制的に開くスイッチ無効制御部と、
を備えて成ることを特徴とする請求項１に記載の内視鏡装置。
【請求項４】
前記操作インターフェイスからの入力信号に応じて前記点灯回路を制御する回路制御部を設けると共に、
この回路制御部における前記操作インターフェイスからの入力信号を無効にする無効信号発信部を設け、
この無効信号発信部を前記点灯無効手段としたことを特徴とする請求項１に記載の内視鏡装置。
【手続補正２】
【補正対象書類名】明細書
【補正対象項目名】００３３
【補正方法】変更
【補正の内容】
【００３３】
この実施形態の場合、ＬＥＤ操作無効スイッチ１３２ｂが操作されないとき（無効信号発信部５１８を作動させないとき）には、照明スイッチ１３２ｃのオン操作によってＯＮ信号発信部５１２からＬＥＤ制御部１２７にＬＥＤオン信号が入力され、このときＬＥＤ制御部１２７によって点灯回路５０７が制御される結果、ＬＥＤ１０９が点灯する。一方、ＬＥＤ操作無効スイッチ１３２ｂが操作されると、ＯＮ信号発信部５１２からＬＥＤ制御部１２７にＬＥＤオン信号が入力されても、その信号が無効信号発信部５１８からの無効信号によって無効にされる結果、点灯回路５０７の点灯制御が行われなくなる。したがって、この場合も、照明スイッチ１３２ｃの操作に拘わらずＬＥＤ１０９は消灯状態に維持される。
なお、本発明の技術範囲は上記実施の形態に限定されるものではなく、本発明の趣旨を逸脱しない範囲において種々の変更を加えることが可能である。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
管腔内に挿入される挿入部の先端側に加圧室を有し、前記加圧室に流体を選択的に供給して加圧することで前記挿入部の先端側を所定の向きに湾曲させる湾曲部を有する内視鏡装置において、
前記湾曲部の流体圧力を検出する圧力検知部と、
前記加圧室に対して前記流体を供給する流体圧源と、
該流体圧源から前記加圧室への前記流体の供給及び排気を行う電磁弁と、
該電磁弁と前記加圧室との間に配されて前記流体を一時的に蓄える貯留部と、
該貯留部と前記加圧室とを連通する接続管とを備えていることを特徴とする内視鏡装置。
【請求項２】
前記貯留部の容量が、
前記加圧室と前記接続管とを合わせた容量よりも大きいことを特徴とする請求項１に記載の内視鏡装置。
【請求項３】
前記圧力検知部が、
前記接続管内の圧力を検出するものとされていることを特徴とする請求項１又は２に記載の内視鏡装置。
【請求項４】
前記圧力検知部が、
前記貯留部内の圧力を検出するものとされていることを特徴とする請求項１又は２に記載の内視鏡装置。
【請求項５】
前記貯留部が、
前記挿入部に配されていることを特徴とする請求項３に記載の内視鏡装置。
【手続補正２】
【補正対象書類名】明細書
【補正対象項目名】０００４
【補正方法】変更
【補正の内容】
【０００４】
本発明は、上記課題を解決するため、以下の手段を採用する。
本発明に係る内視鏡装置は、管腔内に挿入される挿入部の先端側に加圧室を有し、前記加圧室に流体を選択的に供給して加圧することで前記挿入部の先端側を所定の向きに湾曲させる湾曲部を有する内視鏡装置において、前記湾曲部の流体圧力を検出する圧力検知部と、前記加圧室に対して前記流体を供給する流体圧源と、該流体圧源から前記加圧室への前記流体の供給及び排気を行う電磁弁と、該電磁弁と前記加圧室との間に配されて前記流体を一時的に蓄える貯留部と、該貯留部と前記加圧室とを連通する接続管とを備えていることを特徴とする。
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
被写体を透過した放射線を検出する検出器から、投影画像を取得する画像取得手段と、
前記被写体に対して複数のスライス面を設定する設定手段と、
前記複数のスライス面の間隔に応じて、前記複数のスライス面の再構成を行うために必要な前記投影画像中の領域を抽出する抽出手段と、
前記抽出手段により抽出された領域に対して、前記スライス面の再構成を行うための画像処理を行う画像処理手段と、
を有することを特徴とする画像処理装置。
【請求項２】
前記投影画像は、コーンビームＣＴ画像であることを特徴とする請求項１に記載の画像処理装置。
【請求項３】
前記抽出手段は、前記複数のスライス面それぞれの中心位置と放射線源の位置との高さの差をＺi、前記複数のスライス面それぞれの中心と前記放射線源との水平方向における距離をＤ、前記複数のスライス面それぞれの中心と前記検出器との水平方向における距離をＳ、前記複数のスライス面それぞれの半径をＲとしたとき、前記検出器の前記放射線源の位置を基準とした高さがＺi×（Ｄ＋Ｓ）／（Ｄ＋Ｒ）からＺi×（Ｄ＋Ｓ）／（Ｄ−Ｒ）までの領域を、前記再構成を行うために必要な領域として抽出することを特徴とする請求項１又は２に記載の画像処理装置。
【請求項４】
前記画像処理手段は、
前記複数のスライス面を複数のグループに分割する手段と、
前記グループ毎に前記スライス面に対応した前記投影画像の領域を切り出して各グループのローカルデータに分配する手段と、
前記グループ毎に独立して再構成を行うための画像処理を行う手段と、
を有することを特徴とする請求項１乃至３のいずれか１項に記載の画像処理装置。
【請求項５】
前記再構成の処理を行う際に、マルチコンピュータ型ＭＩＭＤアーキテクチャを用いたことを特徴とする請求項４に記載の画像処理装置。
【請求項６】
画像取得手段が、被写体を透過した放射線を検出する検出器から、投影画像を取得する画像取得工程と、
設定手段が、前記被写体の複数のスライス面を設定する設定工程と、
抽出手段が、前記複数のスライス面の間隔に応じて、前記複数のスライス面の再構成を行うために必要な前記投影画像中の領域を抽出する抽出工程と、
画像処理手段が、前記抽出工程で抽出された領域に対して、前記複数のスライス面の再構成を行うための画像処理を行う画像処理工程と、
を有することを特徴とする画像処理方法。
【請求項７】
前記画像処理手段が、
前記複数のスライス面を複数のグループに分割する工程と、
前記グループ毎に前記スライス面に対応した前記投影画像の領域を切り出して各グループのローカルデータに分配する工程と、
前記グループ毎に独立して再構成を行うための画像処理を行う工程と、
を有することを特徴とする請求項６に記載の画像処理方法。
【請求項８】
コンピュータを、
被写体を透過した放射線を検出する検出器から、投影画像を取得する画像取得手段と、
前記被写体に対して複数のスライス面を設定する設定手段と、
前記複数のスライス面の間隔に応じて、前記複数のスライス面の再構成を行うために必要な前記投影画像中の領域を抽出する抽出手段と、
前記抽出手段により抽出された領域に対して、前記スライス面の再構成を行うための画像処理を行う画像処理手段と、
して機能させるためのプログラム。
【手続補正２】
【補正対象書類名】明細書
【補正対象項目名】０００８
【補正方法】変更
【補正の内容】
【０００８】
本発明に係る画像処理装置は、被写体を透過した放射線を検出する検出器から、投影画像を取得する画像取得手段と、前記被写体に対して複数のスライス面を設定する設定手段と、前記複数のスライス面の間隔に応じて、前記複数のスライス面の再構成を行うために必要な前記投影画像中の領域を抽出する抽出手段と、前記抽出手段により抽出された領域に対して、前記スライス面の再構成を行うための画像処理を行う画像処理手段と、を有することを特徴とする。
【手続補正３】
【補正対象書類名】明細書
【補正対象項目名】０００９
【補正方法】削除
【補正の内容】
【手続補正書】
【提出日】平成19年8月22日(2007.8.22)
【手続補正１】
【補正対象書類名】特許請求の範囲
【補正対象項目名】請求項１
【補正方法】変更
【補正の内容】
【請求項１】
被粉砕物を収容するホッパーの下部にハウジングを連設し、前記ホッパーから落下される被粉砕物を、ハウジング内に設けた粗砕刃及び回転刃と、ハウジングの片側壁内面に設けた固定刃との協働によって粉砕し、その粉砕物をハウジングの下方に形成した排出口から排出してなる粉砕機において、
上記ハウジングは、所定間隔をあけて配置された前、後壁と、
これら前、後壁の所定間隔を維持するために、この前、後壁の両下端に架け渡されたタイロッド軸と、
上記前、後壁の間に略密接して配置されると共に、下端を支点にして各々が外側に向けて起倒可能な左、右の開閉扉と、から成り、
上記開閉扉の下端には、上記タイロッド軸とは異なる支点軸によって前、後壁に軸支される軸受部を形成すると共に、前記支点軸は、タイロッド軸よりも内側に設けられていることを特徴とする粉砕機。
【手続補正２】
【補正対象書類名】明細書
【補正対象項目名】０００１
【補正方法】変更
【補正の内容】
【０００１】
本発明は、例えば、熱可組成合成樹脂製品の成形に伴って発生する副産物（スプル・ランナ等）である被粉砕物を粉砕して再利用を可能にする粉砕機に関する。
【手続補正３】
【補正対象書類名】明細書
【補正対象項目名】０００２
【補正方法】変更
【補正の内容】
【０００２】
従来、被粉砕物を収容するホッパーの下部にハウジングを連設し、前記ホッパーから落下される上記被粉砕物を、ハウジング内の回転軸外周に設けた回転刃と、この回転刃の適所に設置された２つの大きな粗砕刃と、これら回転刃及び粗砕刃と、ハウジングの片側壁内面に設けられた固定刃との協働によって粉砕し、その粉砕物をハウジングの下方に形成した排出口から排出してなる粉砕機があった（例えば、特許文献１参照。）。
【手続補正４】
【補正対象書類名】明細書
【補正対象項目名】００１３
【補正方法】変更
【補正の内容】
【００１３】
上記目的を達成するため、請求項１に係る粉砕機は、被粉砕物を収容するホッパーの下部にハウジングを連設し、前記ホッパーから落下される被粉砕物を、ハウジング内に設けた粗砕刃及び回転刃と、ハウジングの片側壁内面に設けた固定刃との協働によって粉砕し、その粉砕物をハウジングの下方に形成した排出口から排出してなる粉砕機において、上記ハウジングは、所定間隔をあけて配置された前、後壁と、これら前、後壁の所定間隔を維持するために、この前、後壁の両下端に架け渡されたタイロッド軸と、上記前、後壁の間に略密接して配置されると共に、下端を支点にして各々が外側に向けて起倒可能な左、右の開閉扉と、から成り、上記開閉扉の下端には、上記タイロッド軸とは異なる支点軸によって前、後壁に軸支される軸受部を形成すると共に、前記支点軸は、タイロッド軸よりも内側に設けられている。
【手続補正５】
【補正対象書類名】明細書
【補正対象項目名】００６６
【補正方法】変更
【補正の内容】
【００６６】
また、ハウジングＨ内の清掃作業等を行う場合であれば、左、右の開閉扉４、５の上方に設けた球形ハンドルを把持して、これを外方向に引っ張るだけで、左、右の開閉扉４、５が支点軸６を回転中心にして外側に倒れて、ハウジングＨの側方が開放され、粗砕刃１０、回転刃２０、固定刃３０或いはケーシング部６０等に残留している細かな粉砕物を簡単に清掃等を行うことができる（図５、図６、参照。）。
【手続補正書】
【提出日】平成18年12月19日(2006.12.19)
【手続補正１】
【補正対象書類名】特許請求の範囲
【補正対象項目名】請求項２
【補正方法】変更
【補正の内容】
【請求項２】
前記少なくとも水性コロイダルシリカを含む液と、前記少なくともモリブデン酸アンモニウムを含む水溶液の温度が１０〜５５℃であることを特徴とする請求項１に記載のアクリロニトリル合成用触媒の製造方法。
【手続補正２】
【補正対象書類名】明細書
【補正対象項目名】０００７
【補正方法】変更
【補正の内容】
【０００７】
本発明者らは、シリカ、モリブデン、ビスマス、鉄を含む触媒を製造するに際して、特に触媒前駆体である水性スラリーの調製方法に関して鋭意検討した結果、従来の常識からは想到し得ない新たな知見を得て、本発明を完成するに至った。
すなわち、本発明のアクリロニトリル合成用触媒の製造方法は、少なくとも水性コロイダルシリカを含む液に、少なくともモリブデン酸アンモニウムを含む水溶液を添加して、ｐＨが４〜７の水性液状物を調製する第１工程と、該水性液状物のｐＨを４〜７に維持したまま、１０〜５５℃で５〜６０分間保持する第２工程と、該第２工程の後に、前記水性液状物にビスマスおよび鉄を含む強酸性水溶液を添加して水性スラリーを調製する第３工程とを有することを特徴とする。
前記少なくとも水性コロイダルシリカを含む液と、前記少なくともモリブデン酸アンモニウムを含む水溶液の温度が１０〜５５℃であることが好ましい。
前記アクリロニトリル合成用触媒の組成が、下記一般式（１）で表されることが好ましい。
ＭｏａＢｉｂＦｅｃＡｄＢｅＯｆ（ＳｉＯ２）ｇ・・・（１）
（式（１）中、Ｍｏ、Ｂｉ、ＦｅおよびＯはそれぞれモリブデン、ビスマス、鉄および酸素を表し、Ａはナトリウム、カリウム、ルビジウム、セシウムおよびタリウムからなる群より選ばれた少なくとも１種の元素、Ｂはコバルト、ニッケル、銅、亜鉛、マグネシウム、カルシウム、ストロンチウム、バリウム、チタン、バナジウム、クロム、マンガン、タングステン、銀、アルミニウム、リン、ホウ素、スズ、鉛、ガリウム、ゲルマニウム、ヒ素、アンチモン、ニオブ、タンタル、ジルコニウム、インジウム、イオウ、セレン、テルル、ランタンおよびセリウムからなる群より選ばれた少なくとも１種の元素、ＳｉＯ２はシリカを表す。ただし、ａ、ｂ、ｃ、ｄ、ｅ、ｆおよびｇは各元素の原子比を表し、ａ＝１２のとき、０．１≦ｂ≦５、０．１≦ｃ≦１０、０．０１≦ｄ≦３、０≦ｅ≦２０、１０≦ｇ≦２００であり、ｆは前記各成分の原子価を満足するのに必要な酸素の原子比である。）
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
前方に開放された筐体と、
絵柄を変動表示する絵柄表示装置を枠体に搭載して構成した表示ユニットと、を備え、
前記筐体の内部に設けたユニット載置部上を滑らせるようにして前記表示ユニットを筐体に対して着脱するようにした遊技機であって、
前記枠体において少なくとも前記表示ユニットの着脱時に前記ユニット載置部と対向する位置に、同ユニット載置部に向けて突出してなる滑り部を一体成形したことを特徴とする遊技機。
【請求項２】
前記枠体の底部の少なくとも２カ所に前記滑り部を設けたことを特徴とする請求項１に記載の遊技機。
【請求項３】
前記滑り部を、枠体下方に突出し、外形線が曲線状をなすよう形成したことを特徴とする請求項１又は２に記載の遊技機。
【請求項４】
前記滑り部を、前記枠体の背側底部に設けたことを特徴とする請求項１乃至３のいずれか１つに記載の遊技機。
【請求項５】
前記筐体に対して前記表示ユニットの装着を完了した状態では、前記滑り部が、前記ユニット載置部に設けた滑り面を通り過ぎた位置にあるよう構成したことを特徴とする請求項１乃至４のいずれか１つに記載の遊技機。
【請求項６】
前記ユニット載置部を、前記筐体の左右両側板にそれぞれ設けたレール部材で構成したことを特徴とする請求項１乃至４のいずれか１つに記載の遊技機。
【請求項７】
前記レール部材は、前記筐体の前後方向に延びる水平部と、該水平部の筐体奥側の端部より下方に傾斜し前記表示ユニットの装着完了状態で前記滑り部を誘導する傾斜部とを含むものであることを特徴とする請求項６に記載の遊技機。
【請求項８】
前記レール部材は、前記筐体の前後方向に延びる水平部と、該水平部の筐体奥側の端部より下方に傾斜し前記表示ユニットの離脱時において前記滑り部を前記水平部まで誘導する傾斜部とを含むものであることを特徴とする請求項６に記載の遊技機。
【請求項９】
前記筐体の前方開口部に少なくとも上下２つに分離可能な扉体を設置する構成であって、そのうち上側の扉体を前記表示ユニットに開閉可能に組み付けたことを特徴とする請求項１乃至８のいずれか１つに記載の遊技機。
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
加熱手段を有して湯水を放散させることにより蒸気を発生させ得る熱交換器と、該熱交換器に放散された湯水をタンク内に回収して循環ポンプで再び熱交換器に放散させる湯循環手段と、該湯循環手段のタンク内に水を供給する給水手段及び前記タンク内の水を排水する排水手段と、前記給水手段と排水手段を制御して予め設定したときに少量の水の供給処理を開始し該水を給水手段の給水配管から排水手段の排水配管内に流通させ得る制御手段と、を備えることを特徴とする蒸気発生装置。
【請求項２】
前記制御手段は、熱交換器が非作動中で、一日２４時間の所定時間帯もしくは温度センサで検出された室外等の温度が所定温度以下となった場合に少量の水を給水手段の給水配管から排水手段の排水配管内に流通させることを特徴とする請求項１に記載の蒸気発生装置。
【請求項３】
前記制御手段は、前記湯循環手段内及び又は前記熱交換器の加熱手段としての温水供給管内にも少量の水を循環させることを特徴とする請求項１または２に記載の蒸気発生装置。
【請求項４】
加熱手段を有して温風を発生させ得る第２の熱交換器を備え、該第２の熱交換器と前記熱交換器は、多数枚のフィンが加熱手段としての温水供給管で連結されることにより構成されると共に、前記第２の熱交換器が略水平状態で前記熱交換器が傾斜状態でケース内に配置されていることを特徴とする請求項１ないし３のいずれかに記載の蒸気発生装置。
【手続補正２】
【補正対象書類名】明細書
【補正対象項目名】０００６
【補正方法】変更
【補正の内容】
【０００６】
かかる目的を達成すべく、本発明のうち請求項１に記載の発明は、加熱手段を有して湯水を放散させることにより蒸気を発生させ得る熱交換器と、該熱交換器に放散された湯水をタンク内に回収して循環ポンプで再び熱交換器に放散させる湯循環手段と、該湯循環手段のタンク内に水を供給する給水手段及び前記タンク内の水を排水する排水手段と、前記給水手段と排水手段を制御して予め設定したときに少量の水の供給処理を開始し該水を給水手段の給水配管から排水手段の排水配管内に流通させ得る制御手段と、を備えることを特徴とする。
【手続補正３】
【補正対象書類名】明細書
【補正対象項目名】０００７
【補正方法】変更
【補正の内容】
【０００７】
そして、前記制御装置は、請求項２に記載の発明のように、熱交換器が非作動中で、一日２４時間の所定時間帯もしくは温度センサで検出された室外等の温度が所定温度以下となった場合に少量の水を給水手段の給水配管から排水手段の排水配管内に流通させることが好ましく、また、前記制御手段は、請求項３に記載の発明のように、前記湯循環手段内及び又は前記熱交換器の加熱手段としての温水供給管内にも少量の水を循環させることが好ましい。
【手続補正４】
【補正対象書類名】明細書
【補正対象項目名】０００９
【補正方法】変更
【補正の内容】
【０００９】
本発明の請求項１に記載の発明によれば、制御手段が給水手段の給水電磁弁や排水手段の排水電磁弁を制御して、予め設定した時期に少量の水を給水手段の給水配管からタンク内に供給すると共に、このタンク内に供給された水を排水手段の排水配管から排水させるため、装置が設置される場所の温度が下がるとき等に予め少量の水の供給処理を開始しこの水を給水配管から排水配管に流通させてこれらの配管の凍結を容易に防止することができる。
【手続補正５】
【補正対象書類名】明細書
【補正対象項目名】００１０
【補正方法】変更
【補正の内容】
【００１０】
また、請求項２に記載の発明によれば、請求項１に記載の発明の効果に加え、熱交換器が非作動中の、一日２４時間の所定時間帯かもしくは温度センサで検出された天井裏等の室外等の温度が所定温度以下となった場合に、少量の水を給水配管から排水配管に流通させるため、深夜等の所定の時間帯や検出された室温に基づいて少量の水を給水配管や排水配管に流すことができて、装置の凍結防止対策を効果的に行うことができる。